(57)【要約】【課題】内部の視認性や刻印作業のスピードを損なうことなく、レーザーマーキングで刻印された印字が読み取りやすくなる基板ケースの提供。【解決手段】合成樹脂製の主基板ケース20A の表面に設けられた溶剤塗布面22に、樹脂を剥離するのに利用される水溶性の有機溶剤を塗布し、溶剤塗布面22近傍に位置する合成樹脂の性質を変化させ、溶剤塗布面22にレーザー光線を照射して刻印23を形成すると、刻印23の周囲を形成する合成樹脂が白化するようにしたので、刻印23が透明な主基板ケース20A の表面に白く浮き上がって見えるようになり、刻印23の印字を読み取りやすいものとすることができる。【選択図】    図４
2014018518.tif 000002
【特許請求の範囲】
【請求項１】
遊技機に設けられた装置の動作を制御する制御回路が形成された制御基板を内部に収納する箱状に形成され、且つ、遊技機の内部における所定位置に取り付けられる合成樹脂製の基板ケースであって、
樹脂を剥離するのに利用される水溶性の有機溶剤が塗布された溶剤塗布面に、レーザー光線による刻印がなされていることを特徴とする基板ケース。
【請求項２】
遊技機に設けられた装置の動作を制御する制御回路が形成された制御基板を内部に収納する箱状に形成され、且つ、遊技機の内部における所定位置に取り付けられる合成樹脂製の基板ケースであって、
炭酸カルシウムを含んだ光拡散顔料が混入された合成樹脂からなる部位の表面に、レーザー光線による刻印がなされていることを特徴とする基板ケース。
【発明の詳細な説明】
【技術分野】
【０００１】
本発明は、遊技機に設けられた装置の動作を制御する制御回路が形成された制御基板を内部に収納する箱状に形成され、且つ、遊技機の内部における所定位置に取り付けられる合成樹脂製の基板ケースに関する。
【背景技術】
【０００２】
従来から、スロットマシンの遊技機は、遊技を行うのに必要な遊技装置、遊技装置の動作を制御する制御回路が形成された制御基板、及び、遊技装置及び制御基板に電力を供給する電源装置等を備えたものとなっている。
このうち、制御基板は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御基板は、真正のＲＯＭを、入賞しやすい不正なプログラムが書き込まれた不正ＲＯＭに交換する等の不正行為を防止するために、箱状に形成された透明な合成樹脂製の基板ケースの内部に収納されている。
【０００３】
このような制御基板を収納する基板ケースでは、基板ケースの表面における所定箇所に遊技機の機種や製造番号（いわゆる、シリアル番号）を記すにあたり、レーザー光線を利用して番号や文字を記すレーザーマーキングが利用されている。
このようなレーザーマーキングで、遊技機の機種や製造番号を記すると、文字や数字が基板ケースの表面に刻まれ、改竄が困難な刻印で機種や製造番号を記することができる。（例えば、特許文献１参照）。
【０００４】
また、基板ケースを閉鎖するネジなどを封印するカシメ部材の表面と、基板ケースの表面とにまたがって、レーザーマーキングで遊技機の機種や製造番号を刻印すれば、この刻印が割り印となって、他の遊技機から取り外してきたカシメ部材の利用が防止でき、これにより、他の遊技機から盗んだ部品を利用する、いわゆる、ニコイチの防止も実現することができる。
【先行技術文献】
【特許文献】
【０００５】
【特許文献１】特開２０１２−７５８８０号公報
【発明の開示】
【発明が解決しようとする課題】
【０００６】
前述の基板ケースでは、レーザーマーキングで刻印すると、刻まれた部分の透明度が確保され、刻印された文字や数字が見にくいので、刻印された印字をより読み取りやすいものにしたい、という要望がある。
なお、着色した合成樹脂で基板ケースを作成する、あるいは、レーザーマーキングで刻印する印字ラインの幅を太くすることで、刻印された印字の視認性を向上することが考えられるが、着色した合成樹脂で基板ケースを作成すると、基板ケースの内部を観察するにあたり、その視認性が低下し、観察しにくくなる、という問題が生じ、印字ラインの幅を太くすると、レーザーマーキングの刻印スピードが低下し、印字に時間がかかり、生産性の阻害要因となる、という問題が生じる。
【０００７】
本発明は、このような問題を解決するためになされたものであり、内部の視認性や刻印作業のスピードを損なうことなく、レーザーマーキングで刻印された印字が読み取りやすくなる基板ケースを提供することを目的とする。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１に記載された発明は、遊技機(１)に設けられた装置の動作を制御する制御回路が形成された制御基板(21)を内部に収納する箱状に形成され、且つ、当該遊技機(１)の内部における所定位置に取り付けられる合成樹脂製の基板ケース(20A) であって、樹脂を剥離するのに利用される水溶性の有機溶剤が塗布された溶剤塗布面(22)に、レーザー光線による刻印(23)がなされていることを特徴とする。
【００１０】
ここで、前述の有機溶剤としては、合成樹脂製の透明な基板ケースの表面に塗布しても、基板ケースの表面部分を著しく溶かすことなく、且つ、基板ケースにおける塗布部分の透明度を損なうことがないものが採用できる。
例えば、樹脂、塗料又は接着剤の剥離、成型金型の洗浄、金属部品の洗浄、若しくは、フラックスの除去等を行う際に、メチレンクロライドの代替として利用でき、外観が無色透明の液体で、２０℃における比重が１．０、且つ、引火点が９３℃の有機溶剤が採用できる。
【００１１】
（請求項２）
（特徴点）
請求項２記載の発明は、次の点を特徴とする。
すなわち、請求項２記載の発明は、遊技機(１)に設けられた装置の動作を制御する制御回路が形成された制御基板(21)を内部に収納する箱状に形成され、且つ、当該遊技機(１)の内部における所定位置に取り付けられる合成樹脂製の基板ケース(20A) であって、炭酸カルシウムを含んだ光拡散顔料が混入された合成樹脂からなる部位の表面に、レーザー光線による刻印(23)がなされていることを特徴とする。
【発明の効果】
【００１２】
（請求項１の効果）
前述のような請求項１記載の発明は、以下に記載されるような効果を奏する。
すなわち、請求項１記載の発明によれば、樹脂を剥離するのに利用される水溶性の有機溶剤を合成樹脂製の基板ケースの表面に塗布すると、有機溶剤が塗布された部分の合成樹脂は、その性質が変化する。このような有機溶剤が塗布されて性質が変化した基板ケースの溶剤塗布面に、レーザー光線を照射して刻印を形成すると、刻印の周囲を形成する合成樹脂が白化し、刻印が透明な基板ケースの表面に白く浮き上がって見えるようになるので、刻印された印字が読み取りやすいものなり、以上により、前記目的が達成される。
【００１３】
（請求項２の効果）
前述のような請求項２記載の発明は、以下に記載されるような効果を奏する。
すなわち、請求項２記載の発明によれば、炭酸カルシウムを含んだ光拡散顔料が混入された合成樹脂に、レーザー光線を照射して刻印を形成すると、合成樹脂は、レーザー光線を吸収した表面部分と、レーザー光線を吸収していない内側部分との間で屈折率が著しく相違し、刻印の周囲部分に光が当たると、当該周囲部分で光が乱反射して白色に着色されたようになる。このため、レーザー光線で刻印された刻印は、透明な基板ケースの表面に白く浮き上がって見えるようになるので、刻印された印字が読み取りやすいものなり、以上により、前記目的が達成される。
【図面の簡単な説明】
【００１４】
【図１】本発明の第１実施形態の全体を示す正面図である。
【図２】前記実施形態に係る筐体内部を示す正面図である。
【図３】前記実施形態に係る副基板ケースを示す斜視図である。
【図４】前記実施形態に係る副基板ケースを示す正面図である。
【発明を実施するための形態】
【００１５】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１６】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１７】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄（図示略）が記されている。そして、各回転リール11の図柄は、筐体２の外部から表示窓4Aを通して目視可能となっている。
【００１８】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、無色透明なレンズの内部に配置された高輝度フルカラー発光ダイオード等の光源を備え、遊技の進行に応じて、その光源の点灯、点滅又は発光色の変更により、遊技における視覚的な演出効果を高めるものである。
【００１９】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２０】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のメダルを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算スイッチ7Hが設けられている。
【００２１】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２２】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板21を内蔵する主基板ケース20A 、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
【００２３】
このうち、リールユニット10は、それぞれが円筒状に形成された複数の回転リール11を有するものである。そして、これらの回転リール11の各外周面には、特に図示していないが、複数種類の図柄が記されている。
前扉３の裏側の面には、表側の面に配置された液晶表示装置4Eに対応して、液晶表示装置4E、演出用照明装置4B〜4D及び音声出力部4F, 6Cの動作を制御する図示しない副制御基板を内蔵する副基板ケース20B が設けられている。
また、前扉３の裏側の面には、表側の面に開口されたメダル投入口7Bに対応して、投入されたメダルの適否を判定するメダルセレクタ14が設けられている。
【００２４】
以上のようなスロットマシン１は、遊技者がベット操作を行った後に、スタートスイッチ7Fを操作することにより、複数の回転リール11が回転を開始し、この後、遊技者が複数のストップスイッチ7Dを操作して、所定の図柄の組み合わせを示す位置に複数の回転リール11を停止させることができた場合に入賞となって、入賞した役に対応する枚数のメダルを遊技者に払い出すように形成されている。
【００２５】
（主基板ケース20A） 
次に、スロットマシン１の主基板ケース20A について説明する。
主基板ケース20A は、透明な合成樹脂の成形品であり、図３に示すように、平べったい略直方体の箱状に形成されている。この主基板ケース20A の内部には、当該スロットマシン１に設けられた遊技装置の動作を制御する制御回路が形成された主制御基板21が収納されている。
なお、主制御基板21の制御回路には、特に図示しないが、１チップのマイクロコンピュータからなるチップＣＰＵと、遊技動作制御を行うためのプログラムが記憶されているＲＯＭ及びＲＡＭ等の記憶素子が設けられている。そして、主制御基板21は、記憶素子に記憶された遊技動作制御用のプログラムをチップＣＰＵに実行させることで、所定の制御動作を行うものとなっている。
【００２６】
このような主基板ケース20A の表面における所定箇所、具体的に説明すると、主基板ケース20A の正面における図３中下端縁の中央近傍部分には、図３の如く、後述する有機溶剤が塗布された溶剤塗布面22が設けられている。
この溶剤塗布面22は、レーザー光線による刻印がなされるべき刻印形成部である。
さらに詳しく説明すると、溶剤塗布面22は、樹脂を剥離するのに利用される水溶性の有機溶剤が塗布され、この有機溶剤が乾燥した後に、レーザー光線による刻印がなされる部位である。
【００２７】
以上において、主基板ケース20A を形成する合成樹脂としては、金型への射出成形によって量産が行える透明な樹脂が好ましく、例えば、ＡＢＳ樹脂（アクリロニトリル・ブタジエン・スチレン共重合合成樹脂）、あるいは、ポリカーボネートが採用できる。
溶剤塗布面22に塗布された有機溶剤としては、合成樹脂製の透明な主基板ケース20A の表面に塗布しても、主基板ケース20A の表面部分を著しく溶かすことなく、且つ、主基板ケース20A における塗布部分の透明度を損なうことがないものが採用できる。
さらに詳しく説明すると、前述の有機溶剤としては、樹脂、塗料又は接着剤の剥離、成型金型の洗浄、金属部品の洗浄、若しくは、フラックスの除去等を行う際に、メチレンクロライドの代替として利用でき、外観が無色透明で、２０℃における比重が１．０、且つ、引火点が９３℃の有機溶剤が採用できる。
このような有機溶剤としては、例えば、三協化学株式会社製の商品名「コーティングワイパー」が採用できる。
【００２８】
以上のような溶剤塗布面22には、図４に示すように、スロットマシン１の機種名及び製造番号（いわゆる、シリアル番号）を示す刻印23が、レーザー光線を利用したレーザーマーキングで記されている。
この際、前述の有機溶剤が塗布された溶剤塗布面22近傍の合成樹脂は、塗布された有機溶剤の作用により、その性質が変化し、レーザー光線が照射されて刻印23が形成されると、刻印23の周囲を形成する部分が白化するようになっている。これにより、溶剤塗布面22に形成された刻印23が透明な主基板ケース20A の表面に白く浮き上がって見えるようになっている。
【００２９】
前述のような本実施形態によれば、次のような効果が得られる。
すなわち、合成樹脂製の主基板ケース20A の表面に設けられた溶剤塗布面22に、樹脂を剥離するのに利用される水溶性の有機溶剤を塗布し、溶剤塗布面22近傍に位置する合成樹脂の性質を変化させ、溶剤塗布面22にレーザー光線を照射して刻印23を形成すると、刻印23の周囲を形成する合成樹脂が白化するようにしたので、刻印23が透明な主基板ケース20A の表面に白く浮き上がって見えるようになり、刻印23の印字を読み取りやすいものとすることができる。
【００３０】
［第２実施形態］
次に、本発明の第２実施形態について説明する。
本第２実施形態は、前記第１実施形態における有機溶剤が塗布された溶剤塗布面22にレーザー光線を照射して形成した刻印23を、炭酸カルシウムを含んだ光拡散顔料が混入された合成樹脂の表面にレーザー光線を照射して形成した刻印としたものである。
【００３１】
すなわち、本第２実施形態に係る主基板ケース20A は、特に図示しないが、炭酸カルシウムを含んだ光拡散顔料が混入された透明な合成樹脂製のものである。
なお、主基板ケース20A として、主制御基板21が取り付けられる基部と、主制御基板21が取り付けられた基部を主制御基板21とともに覆う蓋部とに分割されたものが採用された場合、少なくとも正面側に配置される蓋部は、炭酸カルシウムを含んだ光拡散顔料が混入された透明な合成樹脂製で形成されたものとなっている。
そして、主基板ケース20A の刻印形成部22には、レーザー光線によるレーザーマーキングによって刻印23、詳しく説明すると、スロットマシン１の機種名及び製造番号（いわゆる、シリアル番号）を示す刻印23が形成されている。
【００３２】
以上において、主基板ケース20A を形成する合成樹脂としては、前記第１実施形態と同様に、金型への射出成形によって量産が行える透明な樹脂が好ましく、例えば、ＡＢＳ樹脂（アクリロニトリル・ブタジエン・スチレン共重合合成樹脂）、あるいは、ポリカーボネートが採用できる。
炭酸カルシウムを含んだ光拡散顔料としては、合成樹脂製の透明な主基板ケース20A に混入しても、主基板ケース20A の透明度を著しく損なうことがないものが採用できる。
具体例を挙げると、光拡散顔料としては、根本特殊化学株式会社が販売元となる商品名「ルミパール」が採用できる。
【００３３】
ここで、刻印23が形成される刻印形成部22を構成する合成樹脂は、レーザー光線が照射されると、一部が蒸発し、これにより、合成樹脂の表面に刻印23となる溝が形成される。一方、合成樹脂に含まれる光拡散顔料の炭酸カルシウムは、レーザー光線の照射でも、殆ど蒸発しないで合成樹脂内に残留する。すると、刻印23の周囲を形成する合成樹脂における炭酸カルシウムの濃度が上昇して、この炭酸カルシウムの濃度上昇が同部分の屈折率を上昇させ、この屈折率の上昇により、刻印23の周囲の合成樹脂が白化し、このため、刻印形成部22に形成された刻印23が透明な主基板ケース20A の表面に白く浮き上がって見えるようになる。
従って、このような本第２実施形態によっても、前記第１実施形態と同様の作用・効果が得られる。
【００３４】
なお、本発明は、前記第１及び第２実施形態に限定されるものではなく、本発明の目的を達成できる範囲における変形及び改良などをも含むものである。
例えば、刻印がなされる基板ケースとしては、主基板ケースに限らず、副基板ケースでもよく、要するに、遊技装置等の操作を制御する制御回路が形成された制御基板を内蔵する基板ケースであればよい。
また、遊技機としては、スロットマシンに限らず、遊技球を遊技媒体として利用するパチンコ機でもよく、要するに、本発明は、制御基板を内蔵する基板ケースが設けられている遊技機全般に適用することができる。
【符号の説明】
【００３５】
1        遊技機としてのスロットマシン
20A       基板ケースとしての主基板ケース
21        制御基板としての主制御基板
22        溶剤塗布面
23        刻印
【図１】
2014018518.tif 000003
【図２】
2014018518.tif 000004
【図３】
2014018518.tif 000005
【図４】
2014018518.tif 000006